(57)【要約】【課題】複数人のユーザが操作し得る場合にも、煩雑なユーザ管理をすることなくそれらのユーザにコンテンツを効率的に視聴させる。【解決手段】コンテンツ再生装置は、記録ユニット１２２と、入力Ｉ／Ｆ１３０と、映像Ｉ／Ｆ１２６と、ＣＰＵ１２０とを含む。記録ユニット１２２は、コンテンツを構成する映像情報とレジューム情報とを蓄積する。入力Ｉ／Ｆ１３０は、コンテンツの再生の指示とその中断の指示とを受付ける。映像Ｉ／Ｆ１２６は、レジューム情報と映像情報とを出力する。ＣＰＵ１２０は、再生の指示があると映像情報を出力させる。ＣＰＵ１２０は、映像情報を出力している間に中断の指示があると、その時点に応じたレジューム情報を作成する。ＣＰＵ１２０は、中断の指示がある前に蓄積した情報に加え、指示があった後に作成したレジューム情報を記録ユニット１２２に蓄積させる。【選択図】図４
2008217873.tif 000002
【特許請求の範囲】
【請求項１】
コンテンツを構成する映像を示す映像情報および前記コンテンツを構成する音声を示す音声情報と前記コンテンツにおける再生の開始位置を示すレジューム情報とを蓄積するための蓄積手段と、
前記コンテンツの再生の指示と、前記再生の中断の指示とを受付けるための受付手段と、
前記レジューム情報と前記蓄積手段が蓄積した前記映像情報および前記音声情報とを出力するための出力手段と、
前記蓄積手段および前記出力手段を制御するための制御手段とを含み、
前記制御手段は、
前記レジューム情報を出力するように、前記蓄積手段および前記出力手段を制御するための出力制御手段と、
前記コンテンツの再生の指示を前記受付手段が受付けると、前記コンテンツの再生の指示が再生の開始位置の指定を欠く場合には前記コンテンツの冒頭に対応する情報から、前記コンテンツの再生の指示が前記再生の開始位置の指定を伴う場合には前記再生の開始位置に対応する情報から、前記コンテンツの映像情報および音声情報を前記コンテンツにおける前記映像および前記音声の順序に従って出力するように前記蓄積手段および前記出力手段を制御するための再生制御手段と、
前記コンテンツの映像情報および音声情報を前記出力手段が出力している間に前記再生の中断の指示を前記受付手段が受付けると、前記再生の中断の指示を前記受付手段が受付けた時点に応じた前記レジューム情報を作成するためのレジューム情報作成手段と、
前記再生の中断の指示を前記受付手段が受付ける前に蓄積した情報に加え、前記再生の中断の指示を前記受付手段が受付けた後に前記レジューム情報作成手段が作成した前記レジューム情報を蓄積するように、前記蓄積手段を制御するための追加制御手段とを含む、コンテンツ再生装置。
【請求項２】
前記蓄積手段が蓄積したレジューム情報は、前記レジューム情報が属する系統を示す系統情報と、同一の前記系統に属する情報同士を識別する識別情報と、再生の開始位置に対応する値を示す位置データとを含み、
前記レジューム情報作成手段は、
前記出力手段が出力した前記レジューム情報のいずれかが示す前記再生の開始位置の指定を前記コンテンツの再生の指示が伴う場合に、前記再生の開始位置の指定に対応する前記系統情報を読み出すための読出手段と、
前記識別情報を作成するための識別情報作成手段と、
前記再生の中断の指示を前記受付手段が受付けた時に応じて、再生の開始位置を示す位置データを作成するための位置データ作成手段と、
前記系統情報と、前記識別情報と、前記位置データとに基づいて、前記レジューム情報を作成するための組立作成手段とを含む、請求項１に記載のコンテンツ再生装置。
【請求項３】
前記位置データ作成手段は、
前記コンテンツのうちステレオ方式の音声により構成される部分とモノラル方式の音声により構成される部分との境界を前記音声情報に基づいて検出するための検出手段と、
前記検出手段が検出した境界のうち前記再生を中断する時点に隣接する境界を示す境界データを前記位置データとして作成するための境界データ作成手段とを含む、請求項２に記載のコンテンツ再生装置。
【請求項４】
前記レジューム情報作成手段は、前記コンテンツの再生の指示が前記再生の開始位置の指定を欠く場合に、前記系統情報を作成するための系統情報作成手段をさらに含む、請求項２に記載のコンテンツ再生装置。
【請求項５】
前記蓄積手段は、前記映像情報および前記音声情報と前記レジューム情報とに加え、前記コンテンツの再生頻度を示す頻度情報を蓄積するための手段を含み、
前記出力手段は、前記レジューム情報と前記蓄積手段が蓄積した映像情報および音声情報とに加え、前記頻度情報を出力するための手段を含み、
前記制御手段は、
前記再生制御手段が前記蓄積手段および前記出力手段を制御すると、前記頻度情報を更新するように前記蓄積手段を制御するための更新制御手段と、
前記頻度情報を出力するように、前記蓄積手段および前記出力手段を制御するための頻度情報制御手段とを含む、請求項１に記載のコンテンツ再生装置。
【請求項６】
前記コンテンツ再生装置は、前記再生の指示と、前記再生の中断の指示と、前記レジューム情報とを通信するための通信手段をさらに含み、
前記制御手段は、前記蓄積手段が蓄積した前記レジューム情報を送信するように、前記蓄積手段および前記通信手段を制御するためのレジューム情報送信制御手段をさらに含み、
前記再生制御手段は、前記コンテンツの再生の指示を前記受付手段が受付けた場合に加え、前記コンテンツの再生の指示を前記通信手段が受信した場合に、前記コンテンツの映像情報および音声情報を出力するように前記蓄積手段および前記出力手段を制御するための手段を含み、
前記レジューム情報作成手段は、前記再生の中断の指示を前記受付手段が受付けた場合に加え、前記再生の中断の指示を前記受信手段が受信した場合に、前記レジューム情報を作成するための手段を含む、請求項１に記載のコンテンツ再生装置。
【請求項７】
前記レジューム情報は、作成時期の情報を含み、
前記出力制御手段は、前記レジューム情報の出力時期と前記作成時期との差に対応する色を示す前記レジューム情報を出力するように、前記蓄積手段および前記出力手段を制御するための手段を含む、請求項１に記載のコンテンツ再生装置。
【請求項８】
コンテンツにおける再生の開始位置を示すレジューム情報を出力するレジューム情報出力ステップと、
前記コンテンツの再生の指示を受付ける再生指示受付ステップと、
前記コンテンツの再生の指示を受付けると、前記コンテンツの再生の指示が再生の開始位置の指定を欠く場合には前記コンテンツの冒頭に対応する情報から、前記コンテンツの再生の指示が前記再生の開始位置の指定を伴う場合には前記再生の開始位置に対応する情報から、予め蓄積された前記コンテンツの映像情報および音声情報を前記コンテンツにおける前記映像および前記音声の順序に従って出力するコンテンツ出力ステップと、
前記再生の中断の指示を受付ける中断受付ステップと、
前記コンテンツの映像情報および音声情報を出力している間に前記再生の中断の指示を受付けると、前記再生の中断の指示を受付けた時点に応じた前記レジューム情報を作成するレジューム情報作成ステップと、
前記再生の中断の指示を受付ける前に蓄積した情報に加え、前記再生の中断の指示を受付けた後に作成された前記レジューム情報を蓄積する追加蓄積ステップとを含む各ステップをコンピュータに実行させるコンテンツ再生プログラム。
【請求項９】
コンテンツ再生プログラムを記録した、コンピュータ読取り可能な記録媒体であって、
コンテンツにおける再生の開始位置を示すレジューム情報を出力するレジューム情報出力ステップと、
前記コンテンツの再生の指示を受付ける再生指示受付ステップと、
前記コンテンツの再生の指示を受付けると、前記コンテンツの再生の指示が再生の開始位置の指定を欠く場合には前記コンテンツの冒頭に対応する情報から、前記コンテンツの再生の指示が前記再生の開始位置の指定を伴う場合には前記再生の開始位置に対応する情報から、予め蓄積された前記コンテンツの映像情報および音声情報を前記コンテンツにおける前記映像および前記音声の順序に従って出力するコンテンツ出力ステップと、
前記再生の中断の指示を受付ける中断受付ステップと、
前記コンテンツの映像情報および音声情報を出力している間に前記再生の中断の指示を受付けると、前記再生の中断の指示を受付けた時点に応じた前記レジューム情報を作成するレジューム情報作成ステップと、
前記再生の中断の指示を受付ける前に蓄積した情報に加え、前記再生の中断の指示を受付けた後に作成された前記レジューム情報を蓄積する追加蓄積ステップとを含む各ステップをコンピュータに実行させるコンテンツ再生プログラムを記録したコンピュータ読取り可能な記録媒体。
【発明の詳細な説明】
【技術分野】
【０００１】
本発明は、コンテンツ再生装置、コンテンツ再生プログラム、およびコンテンツ再生プログラムを記録したコンピュータ読取り可能な記録媒体に関し、特に、レジュームポイントおよびレジュームポイントに付随する情報に関する各処理を行うコンテンツ再生装置、コンテンツ再生プログラム、およびコンテンツ再生プログラムを記録したコンピュータ読取り可能な記録媒体に関する。
【背景技術】
【０００２】
地上波、衛星波、有線、あるいは無線により配信され、ハードディスクなどの磁気ディスク装置、ＤＶＤ（Digital Versatile Disk）、ＢＤ（Blue-ray Disc）、あるいはＨＤＤＶＤ（High Definition DVD）などの大容量の記録媒体に記録された、各種のコンテンツを再生して視聴を楽しむことができる再生装置が利用されている。
【０００３】
一般にこのような再生装置は、業務用だけではなく一般家庭にも浸透してきている。家族でこのような再生装置を利用する場合、このような再生装置がリビングに設置され家族で共有して利用されることが想定される。
【０００４】
その上、昨今のホームへのネットワーク普及により、ＡＶ（Audio Visual）機器同士を結ぶＨＡＮ（Home Area Network）が急速に普及しつつある。
【０００５】
さまざまなＡＶ機器同士を結ぶ方法が開発されつつあり、ユーザはＡＶ機器（この場合は表示装置）の前で操作することで複数のＡＶ機器（この場合は記録装置）を操作することが可能となってきている。
【０００６】
通常ＡＶ機器を操作する場合に複数の人が利用するためにはユーザ認証を行い、ＡＶ機器同士を関連付けし、識別したユーザが利用するための煩雑な操作が必要となる。ＡＶ機器（表示装置）で鑑賞していたＡＶデータを何らかの理由で一時停止した場合には再度同じ位置から再生する仕組みがある。この場合、一時停止した位置を覚えておき、再度同じユーザが再生をした場合には鑑賞中の停止した位置から再生を開始するという仕組みがある。コンテンツの再生を停止させた場合にその停止位置から次回の視聴を開始できるように停止位置の情報を記憶するレジュームポイント機能はそのような仕組みの１つである。
【０００７】
このような利用形態を想定して、特許文献１には、コンテンツのレジュームポイントを複数用意して家族での共有を可能とする技術が開示されている。
【０００８】
特許文献１は、コンテンツ選択部と、レジューム情報記録部と、レジューム情報提示部と、再生位置指定部とを備える再生装置を開示する。コンテンツ選択部は、記録媒体に記録されたコンテンツの中から、再生対象のコンテンツを選択する。レジューム情報記録部は、コンテンツの再生位置を示す情報を含むコンテンツに関するレジューム情報を記録する。レジューム情報提示部は、選択されたコンテンツに関する、レジューム情報記録部に記録される２以上のレジューム情報を選択可能に提示する。再生位置指定部は、提示された２以上のレジューム情報の各々に含まれる再生位置と、コンテンツの先頭位置とのうちから、選択されたコンテンツの再生位置を指定する。
【０００９】
特許文献１に開示された発明によると、複数のユーザで共有して利用する場合に、各ユーザの再生状況を効率よく管理することができ、かつ記録媒体の容量を有効に活用することができる。
【特許文献１】特開２００５−３３２４９０号公報
【発明の開示】
【発明が解決しようとする課題】
【００１０】
しかし、特許文献１に開示された発明では、複数のユーザが再生装置を共用する場合、あるユーザが記録したレジュームポイントの情報は他のユーザの意に反して改変され得るという問題点がある。以下、この問題点について具体的に説明する。
【００１１】
特許文献１によれば、レジュームポイントは一度再生されると更新され、つぎの場所が記録されることによりもとのレジュームポイントの情報は失われることがある。また、最後まで鑑賞したレジュームポイントは自動的に消去されるため、誤って操作した場合にはレジュームポイントが消失してしまうことがある。このため、コンテンツの冒頭部のみを家族全員で観て残りをめいめいで観ると、どこから続きを観ればよいか家族のうち誰かが分からなくなる。
【００１２】
本発明は上述の問題点を解決するためになされたものであって、その目的は、複数人のユーザが操作し得る場合にも、煩雑なユーザ管理をすることなくそれらのユーザがコンテンツを効率的に視聴できるコンテンツ再生装置、コンテンツ再生プログラム、およびコンテンツ再生プログラムを記録したコンピュータ読取り可能な記録媒体を提供することにある。
【課題を解決するための手段】
【００１３】
上記目的を達成するために、本発明のある局面に従うと、コンテンツ再生装置は、蓄積手段と、受付手段と、出力手段と、制御手段とを含む。蓄積手段は、コンテンツを構成する映像を示す映像情報およびコンテンツを構成する音声を示す音声情報とコンテンツにおける再生の開始位置を示すレジューム情報とを蓄積する。受付手段は、コンテンツの再生の指示と、再生の中断の指示とを受付ける。出力手段は、レジューム情報と蓄積手段が蓄積した映像情報および音声情報とを出力する。制御手段は、蓄積手段および出力手段を制御する。制御手段は、出力制御手段と、再生制御手段と、レジューム情報作成手段と、追加制御手段とを含む。出力制御手段は、レジューム情報を出力するように、蓄積手段および出力手段を制御する。再生制御手段は、コンテンツの再生の指示を受付手段が受付けると、コンテンツの再生の指示が再生の開始位置の指定を欠く場合にはコンテンツの冒頭に対応する情報から、コンテンツの再生の指示が再生の開始位置の指定を伴う場合には再生の開始位置に対応する情報から、コンテンツの映像情報および音声情報をコンテンツにおける映像および音声の順序に従って出力するように蓄積手段および出力手段を制御する。レジューム情報作成手段は、コンテンツの映像情報および音声情報を出力手段が出力している間に再生の中断の指示を受付手段が受付けると、再生の中断の指示を受付手段が受付けた時点に応じたレジューム情報を作成する。追加制御手段は、再生の中断の指示を受付手段が受付ける前に蓄積した情報に加え、再生の中断の指示を受付手段が受付けた後にレジューム情報作成手段が作成したレジューム情報を蓄積するように、蓄積手段を制御する。
【００１４】
また、上述の蓄積手段が蓄積したレジューム情報は、レジューム情報が属する系統を示す系統情報と、同一の系統に属する情報同士を識別する識別情報と、再生の開始位置に対応する値を示す位置データとを含むことが望ましい。併せて、レジューム情報作成手段は、読出手段と、識別情報を作成するための識別情報作成手段と、位置データ作成手段と、組立作成手段とを含むことが望ましい。読出手段は、出力手段が出力したレジューム情報のいずれかが示す再生の開始位置の指定をコンテンツの再生の指示が伴う場合に、再生の開始位置の指定に対応する系統情報を読み出す。位置データ作成手段は、再生の中断の指示を受付手段が受付けた時に応じて、再生の開始位置を示す位置データを作成する。組立作成手段は、系統情報と、識別情報と、位置データとに基づいて、レジューム情報を作成する。
【００１５】
もしくは、上述の位置データ作成手段は、検出手段と、境界データ作成手段とを含むことが望ましい。検出手段は、コンテンツのうちステレオ方式の音声により構成される部分とモノラル方式の音声により構成される部分との境界を音声情報に基づいて検出する。境界データ作成手段は、検出手段が検出した境界のうち再生を中断する時点に隣接する境界を示す境界データを位置データとして作成する。
【００１６】
もしくは、上述のレジューム情報作成手段は、コンテンツの再生の指示が再生の開始位置の指定を欠く場合に、系統情報を作成するための系統情報作成手段をさらに含むことが望ましい。
【００１７】
また、上述の蓄積手段は、映像情報および音声情報とレジューム情報とに加え、コンテンツの再生頻度を示す頻度情報を蓄積するための手段を含むことが望ましい。併せて、出力手段は、レジューム情報と蓄積手段が蓄積した映像情報および音声情報とに加え、頻度情報を出力するための手段を含むことが望ましい。併せて、制御手段は、更新制御手段と、頻度情報制御手段とを含むことが望ましい。更新制御手段は、再生制御手段が蓄積手段および出力手段を制御すると、頻度情報を更新するように蓄積手段を制御する。頻度情報制御手段は、頻度情報を出力するように、蓄積手段および出力手段を制御する。
【００１８】
また、上述のコンテンツ再生装置は、再生の指示と、再生の中断の指示と、レジューム情報とを通信するための通信手段をさらに含むことが望ましい。併せて、制御手段は、蓄積手段が蓄積したレジューム情報を送信するように、蓄積手段および通信手段を制御するためのレジューム情報送信制御手段をさらに含むことが望ましい。併せて、再生制御手段は、コンテンツの再生の指示を受付手段が受付けた場合に加え、コンテンツの再生の指示を通信手段が受信した場合に、コンテンツの映像情報および音声情報を出力するように蓄積手段および出力手段を制御するための手段を含むことが望ましい。併せて、レジューム情報作成手段は、再生の中断の指示を受付手段が受付けた場合に加え、再生の中断の指示を受信手段が受信した場合に、レジューム情報を作成するための手段を含むことが望ましい。
【００１９】
また、上述のレジューム情報は、作成時期の情報を含むことが望ましい。併せて、出力制御手段は、レジューム情報の出力時期と作成時期との差に対応する色を示すレジューム情報を出力するように、蓄積手段および出力手段を制御するための手段を含むことが望ましい。
【００２０】
本発明の他の局面に従うと、コンテンツ再生プログラムは、レジューム情報出力ステップと、再生指示受付ステップと、コンテンツ出力ステップと、中断受付ステップと、レジューム情報作成ステップと、追加蓄積ステップとを含む各ステップをコンピュータに実行させる。レジューム情報出力ステップは、コンテンツにおける再生の開始位置を示すレジューム情報を出力するステップである。再生指示受付ステップは、コンテンツの再生の指示を受付けるステップである。コンテンツ出力ステップは、コンテンツの再生の指示を受付けると、コンテンツの再生の指示が再生の開始位置の指定を欠く場合にはコンテンツの冒頭に対応する情報から、コンテンツの再生の指示が再生の開始位置の指定を伴う場合には再生の開始位置に対応する情報から、予め蓄積されたコンテンツの映像情報および音声情報をコンテンツにおける映像および音声の順序に従って出力するステップである。中断受付ステップは、再生の中断の指示を受付けるステップである。レジューム情報作成ステップは、コンテンツの映像情報および音声情報を出力している間に再生の中断の指示を受付けると、再生の中断の指示を受付けた時点に応じたレジューム情報を作成するステップである。追加蓄積ステップは、再生の中断の指示を受付ける前に蓄積した情報に加え、再生の中断の指示を受付けた後に作成されたレジューム情報を蓄積するステップである。
【００２１】
本発明の他の局面にしたがうと、記録媒体は、コンテンツ再生プログラムを記録した、コンピュータ読取り可能な記録媒体である。コンテンツ再生プログラムは、レジューム情報出力ステップと、再生指示受付ステップと、コンテンツ出力ステップと、中断受付ステップと、レジューム情報作成ステップと、追加蓄積ステップとを含む各ステップをコンピュータに実行させる。レジューム情報出力ステップは、コンテンツにおける再生の開始位置を示すレジューム情報を出力するステップである。再生指示受付ステップは、コンテンツの再生の指示を受付けるステップである。コンテンツ出力ステップは、コンテンツの再生の指示を受付けると、コンテンツの再生の指示が再生の開始位置の指定を欠く場合にはコンテンツの冒頭に対応する情報から、コンテンツの再生の指示が再生の開始位置の指定を伴う場合には再生の開始位置に対応する情報から、予め蓄積されたコンテンツの映像情報および音声情報をコンテンツにおける映像および音声の順序に従って出力するステップである。中断受付ステップは、再生の中断の指示を受付けるステップである。レジューム情報作成ステップは、コンテンツの映像情報および音声情報を出力している間に再生の中断の指示を受付けると、再生の中断の指示を受付けた時点に応じたレジューム情報を作成するステップである。追加蓄積ステップは、再生の中断の指示を受付ける前に蓄積した情報に加え、再生の中断の指示を受付けた後に作成されたレジューム情報を蓄積するステップである。
【発明の効果】
【００２２】
本発明に係るコンテンツ再生装置、コンテンツ再生プログラム、およびコンテンツ再生プログラムを記録したコンピュータ読取り可能な記録媒体は、複数人のユーザが操作し得る場合にも、煩雑なユーザ管理をすることなくそれらのユーザがコンテンツを効率的に視聴できる。
【発明を実施するための最良の形態】
【００２３】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２４】
図１は、本実施の形態に係るコンテンツ再生システムの構成を示す図である。図１を参照して、本実施の形態に係るコンテンツ再生システムは、２台のコンテンツ再生装置５０と、２台のテレビ５２とを含む。なお、３台以上のコンテンツ再生装置５０が本実施の形態に係るコンテンツ再生システムに含まれてもよい。３台以上のテレビ５２が本実施の形態に係るコンテンツ再生システムに含まれてもよい。コンテンツ再生装置５０とテレビ５２とのうち少なくとも一方が１台であってもよい。
【００２５】
本実施の形態に係るコンテンツ再生装置５０は、コンテンツを映像情報や音声情報として記録媒体１５０に記録し、テレビ５２に出力する、ネットワークに接続されたＰＶＲ（Personal Video Recorder:ハードディスクビデオレコーダ）である。記録媒体１５０に記録されるコンテンツは、カメラから入力されたり、ネットワークを介して入力されたりする。コンテンツ再生装置５０は、ＰＶＲに代え、パーソナルコンピュータや携帯電話やＰＤＡ（Personal Digital Assistants）などの、記録媒体１５０または内蔵される記録領域に記録される動画像や音声やアニメーションなどのコンテンツを再生する装置であってもよい。また、本発明に係るコンテンツ再生装置はＶＣＲ（Video Cassette Recorder）であってもよいが、本実施の形態に係るコンテンツ再生装置５０は、ＰＶＲであることとする。テレビ５２は、コンテンツ再生装置５０が出力した映像情報や音声情報に基づいて映像や音声を出力することで、それらの映像や音声により構成されるコンテンツを視聴可能にする。
【００２６】
図２は、コンテンツ再生装置５０の機能ブロック図である。図２を参照して、本実施の形態に係るコンテンツ再生装置５０は、レジューム情報管理部６０と、コンテンツ管理部６２と、記録部６４と、通信部６６とを含んで構成される。
【００２７】
レジューム情報管理部６０は、レジューム情報を管理する。コンテンツ管理部６２は、コンテンツの再生を管理したり、コンテンツに関する情報を管理したりする。記録部６４は、記録媒体１５０に記録されたコンテンツについての情報を読み出したり、コンテンツについての新たな情報を記録媒体１５０に記録させたりする。これにより、記録部６４は、各種の情報を蓄積するブロックとして動作する。通信部６６は、本実施の形態に係るコンテンツ再生システムを構成するテレビ５２その他の機器と通信する。
【００２８】
レジューム情報管理部６０は、レジューム情報記録制御部８０と、レジューム情報出力制御部８２と、レジューム情報作成部８４と、レジューム情報更新部８６と、レジューム情報消去制御部８８と、レジューム情報選択部９０と、レジューム情報入力部９２とを含む。
【００２９】
レジューム情報記録制御部８０は、コンテンツに関するレジューム情報を記録媒体１５０に追加記録するように、記録部６４を制御する。レジューム情報出力制御部８２は、記録媒体１５０に記録されたレジューム情報をテレビ５２に出力するように記録部６４を制御する。テレビ５２は、その情報を表示する。このときのレジューム情報の表示形態は、デフォルトもしくは、事前にユーザが登録した表示形態に対応する。レジューム情報の表示形態は、レジューム情報を表示している間に変更されることもある。レジューム情報作成部８４は、レジューム情報を作成する。レジューム情報更新部８６は、記録媒体１５０に記録されたレジューム情報を更新するように、記録部６４を制御する。レジューム情報消去制御部８８は、記録媒体１５０に記録されたレジューム情報を消去するように、記録部６４を制御する。レジューム情報選択部９０は、ユーザの指示に従って記録部６４が記録媒体１５０に記録したレジューム情報のいずれかを選択する。レジューム情報入力部９２は、レジューム情報作成部８４がレジューム情報を作成する際、そのレジューム情報に含まれる情報の入力を受付ける。
【００３０】
レジューム情報作成部８４は、読出部１１２と、識別情報作成部１１４と、位置データ作成部１１６と、組立作成部１１８とを含む。
【００３１】
読出部１１２は、再生の開始位置の指定をコンテンツの再生の指示が伴う場合に、再生の開始位置の指定に対応する系統情報を読み出す。本実施の形態における系統情報とは、レジューム情報が属する系統を示す情報のことである。識別情報作成部１１４は、識別情報を作成する。本実施の形態における識別情報とは、同一の系統に属するレジューム情報同士を識別する情報のことである。位置データ作成部１１６は、再生の中断の指示が受付けられた時に応じて、再生の開始位置を示す位置データを作成する。組立作成部１１８は、系統情報と、識別情報と、位置データとに基づいて、レジューム情報を作成する。
【００３２】
位置データ作成部１１６は、検出部１１６０と、境界データ作成部１１６２と、指示点データ作成部１１６４とを含む。
【００３３】
検出部１１６０は、コンテンツのうちステレオ方式の音声により構成される部分とモノラル方式の音声により構成される部分との境界をそのコンテンツの音声情報に基づいて検出する。境界データ作成部１１６２は、境界データを作成する。本実施の形態において、境界データは位置データの一種である。本実施の形態において、境界データとは、検出部１１６０が検出した境界のうち再生を中断する時点に隣接する境界を示す。指示点データ作成部１１６４は、再生を中断する時点を示す位置データを作成する。
【００３４】
レジューム情報更新部８６は、読出部１４０と、検出部１４２と、組立作成部１４４と、更新制御部１４６とを含む。
【００３５】
読出部１４０は、記録媒体１５０に記録されたレジューム情報を構成する情報やデータのうち、更新の対象となったレジューム情報を構成する情報やデータを読み出すように、記録部６４を制御する。検出部１４２は、コンテンツのうちステレオ方式の音声により構成される部分とモノラル方式の音声により構成される部分との境界をそのコンテンツの音声情報に基づいて検出する。組立作成部１４４は、系統情報と、識別情報と、位置データとに基づいて、レジューム情報を作成する。更新制御部１４６は、記録媒体１５０に記録されたレジューム情報を更新するように、記録部６４を制御する。
【００３６】
コンテンツ管理部６２は、再生制御部１００と、コンテンツ選択部１０２と、付加情報出力制御部１０４と、付加情報記録制御部１０６と、コンテンツ情報消去制御部１０８と、付加情報更新制御部１１０とを含む。
【００３７】
再生制御部１００は、映像情報や音声情報として記録媒体１５０に記録されたコンテンツを再生する。そのために、再生制御部１００は、映像情報や音声情報を記録媒体１５０から読み出すように記録部６４を制御し、かつ記録部６４が読み出した情報をテレビ５２に出力する。テレビ５２は、それらの情報に基づき、映像を表示したり音声を出力したりする。再生制御部１００は、コンテンツの再生を開始する際、そのコンテンツに対応するレジューム情報が存在するかを確認する。レジューム情報が存在する場合には、再生制御部１００は、レジューム情報出力制御部８２に指示を出す。レジューム情報出力制御部８２は、その指示を受けると、テレビ５２にレジューム情報を出力するように記録部６４を制御する。コンテンツ選択部１０２は、テレビ５２に表示されたコンテンツ情報を見たユーザから、再生するコンテンツの選択を受け付ける。コンテンツ選択部１０２は、その選択に応じてコンテンツを再生するよう再生制御部１００に指示を出す。付加情報出力制御部１０４は、記録媒体１５０に記録されている付加情報を読み込みテレビ５２に出力するように、記録部６４を制御する。テレビ５２は、その付加情報を表示する。付加情報記録制御部１０６は、付加情報を記録媒体１５０に記録するように記録部６４を制御する。本実施の形態において、付加情報とは、記録媒体１５０に記録された、コンテンツのタイトル、放送日時、コンテンツの削除の可否（すなわちコンテンツロックの有無）、使用者の趣向に関する情報（コンテンツの再生頻度を示す頻度情報、コンテンツの再生回数、録画されてからの経過時間など）、あるいはコンテンツに付随するその他の情報を意味する。コンテンツ情報消去制御部１０８は、記録媒体１５０に記録された、コンテンツを構成する映像情報や音声情報を消去するように、記録部６４を制御する。付加情報更新制御部１１０は、再生制御部１００がコンテンツを再生させると、頻度情報を更新するように記録部６４を制御する。
【００３８】
なお、本実施の形態において、レジューム情報とは、記録媒体１５０に記録されたコンテンツにおける再生の開始位置を示す情報である。本実施の形態の場合、レジューム情報は、コンテンツを識別するコンテンツＩＤと、レジュームポイントを示す位置データと、そのコンテンツの再生を最後に実施した日時である最終アクセス時間を示す情報と、コンテンツの最初から再生を開始した後に再生を中断したか、それともレジュームポイントから再生を開始した後に再生を再び中断したかを示す継承情報と、所属する系統を示す系統情報と、同一の系統に属するレジューム情報同士を識別するための識別情報とを含む。レジュームポイントは、そのコンテンツの再生を再開する位置として利用される。レジュームポイントに基づいて再生を開始する位置を選択することで、再生を中断した位置からコンテンツの鑑賞を再開することが可能になる。
【００３９】
また、本実施の形態の場合、レジューム情報には、コンテンツに関する情報（コンテンツの終了位置、レジュームポイントからコマーシャル映像の開始までの再生時間、あるいはレジュームポイントからコマーシャル映像の終了までの再生時間など）や、レジュームポイントが利用された回数や、アクセス情報（レジューム情報を作成した日時、レジュームポイントを利用可能か否かの設定、レジューム情報を削除可能か否かの設定、レジューム情報を利用したり更新したりするためにパスワードを必要とするか否か、あるいはレジューム情報を設定したユーザの名前など）や、その他ユーザによって設定された情報が含まれる。本実施の形態の場合、これらの情報は自動的にレジューム情報に含まれるが、ユーザの入力に応じて入力されてもよい。
【００４０】
図３は、レジュームポイントの概念図である。図３において、両端がコンテンツの始まりと終わりとを意味し、ハッチングが付された箇所がレジュームポイントを示す。本実施の形態の場合、レジュームポイントは、コンテンツの再生を中断した時点を原則として意味する。ただし、場合によっては、コンテンツの再生を中断した時点に対し直前または直後のコンテンツの本編とコマーシャルとの境界を意味することもある。本実施の形態の場合、レジュームポイントが再生の再開点となることがある。図３から明らかなように、レジュームポイントは１つのコンテンツの複数の箇所に存在することがある。
【００４１】
図４は、本実施の形態に係るコンテンツ再生装置５０のハードウェア構成図である。図４を参照して、本実施の形態に係るコンテンツ再生装置５０は、ＣＰＵ（Central Processing Unit）１２０と、記録ユニット１２２と、通信インターフェイス１２４と、映像インターフェイス１２６と、音声インターフェイス１２８と、入力インターフェイス１３０とを含む。
【００４２】
ＣＰＵ１２０は、本実施の形態に係るコンテンツ再生装置５０の各ユニットを制御する。ＣＰＵ１２０は、その制御のための演算を実施するユニットでもある。記録ユニット１２２は、記録媒体１５０から情報を読み出す。記録ユニット１２２は、記録媒体１５０に情報を記録するユニットでもある。ちなみに、本実施の形態の場合、記録媒体１５０は、ＣＤ−ＲＯＭ（Compact Disc Read Only Memory）である。ＣＤ−ＲＯＭに代え、フラッシュメモリその他の記録媒体が使用されても良いし、ハードディスクが使用されても良いが、本実施の形態においては、ＣＤ−ＲＯＭが使用されることとする。また、記録ユニット１２２は、記録媒体１５０から読み出された情報を一時的に記憶するユニットでもある。記録ユニット１２２は、本実施の形態に係るコンテンツ再生装置５０を実現するためのプログラムを記憶するユニットでもある。これらの機能を実現するため、本実施の形態の場合、記録ユニット１２２は、ＣＤ−ＲＯＭ読取装置と、ＲＡＭ（Random Access Memory）とにより構成される。通信インターフェイス１２４は、他のコンテンツ再生装置５０と通信する。映像インターフェイス１２６は、テレビ５２に対して映像情報を出力する。映像インターフェイス１２６は、映像情報の圧縮処理や復号処理を実施するユニットでもある。音声インターフェイス１２８は、テレビ５２に対して音声情報を出力する。音声インターフェイス１２８は、音声情報の圧縮処理や復号処理を実施するユニットでもある。入力インターフェイス１３０は、ユーザの操作に応じて信号を生成することにより、情報の入力を受け付ける。
【００４３】
このコンテンツ再生装置５０は、コンピュータハードウェアとＣＰＵ１２０により実行されるソフトウェアとにより実現される。一般的にこうしたソフトウェアは、ＣＤ−ＲＯＭなどの記録媒体に格納されて流通し、記録ユニット１２２などにより記録媒体から読取られて図示しないハードディスクに一旦格納される。さらにＲＡＭに読出されて、上述したＣＰＵ１２０により実行される。上述したコンピュータのハードウェア自体は一般的なものである。したがって、本発明の最も本質的な部分は、ＣＤ−ＲＯＭ８４に記録されたソフトウェアである。なお、コンピュータ自体の動作は周知であるので、ここではその詳細な説明は繰返さない。
【００４４】
図５を参照して、コンテンツ再生装置５０で実行されるプログラムは、コンテンツの再生に関し、以下のような制御を実行する。
【００４５】
ステップＳ１５０にて、付加情報出力制御部１０４として動作するＣＰＵ１２０は、付加情報出力制御部１０４として動作する入力インターフェイス１３０が受付けたユーザの指示に応じて、記録部６４として動作する記録ユニット１２２を制御する。記録部６４として動作する記録ユニット１２２は、ＣＰＵ１２０の制御に従い、記録媒体１５０に記録された付加情報を読出す。
【００４６】
ステップＳ１５２にて、付加情報出力制御部１０４として動作するＣＰＵ１２０は、自らが記憶するフラグの値に基づいて、ソートの方法が指定されているか否かを判断する。ソートの方法が指定されていると判断した場合には（ステップＳ１５２にてＹＥＳ）、処理はステップＳ１５４へと移される。もしそうでないと（ステップＳ１５２にてＮＯ）、処理はステップＳ１５６へと移される。
【００４７】
ステップＳ１５４にて、付加情報出力制御部１０４として動作するＣＰＵ１２０は、記録部６４として動作する記録ユニット１２２が記録媒体１５０から読出した付加情報をソートする。ソートの際、付加情報をどのような順序で並べ替えるかということについては、ＣＰＵ１２０自身が記憶したフラグの値に基づいて選択する。
【００４８】
ステップＳ１５６にて、付加情報出力制御部１０４として動作するＣＰＵ１２０は、ステップＳ１５０にて記録部６４として動作する記録ユニット１２２が記録媒体１５０から読出した情報に基づき、その記録媒体１５０に記録されている付加情報が存在するか否かを判断する。付加情報が存在すると判断した場合には（ステップＳ１５６にてＹＥＳ）、処理はステップＳ１５８へと移される。もしそうでないと（ステップＳ１５６にてＮＯ）、処理はステップＳ１６０へと移される。
【００４９】
ステップＳ１５８にて、付加情報出力制御部１０４は、ステップＳ１５４にてソートした付加情報をテレビ５２に出力する。この処理は、図６に示す処理に相当する。
【００５０】
ステップＳ１６０にて、レジューム情報出力制御部８２、レジューム情報作成部８４、レジューム情報更新部８６、レジューム情報消去制御部８８、再生制御部１００、およびコンテンツ選択部１０２は、ユーザが選択したコンテンツを再生する。この処理は、図７に示す処理に相当する。
【００５１】
図６を参照して、コンテンツ再生装置５０で実行されるプログラムは、補充情報の表示に関し、以下のような制御を実行する。
【００５２】
ステップＳ１７０にて、付加情報出力制御部１０４として動作するＣＰＵ１２０は、ステップＳ１５０にて記録部６４として動作する記録ユニット１２２が読み出し、一時的に記憶した付加情報を参照する。
【００５３】
ステップＳ１７２にて、付加情報出力制御部１０４として動作するＣＰＵ１２０は、ステップＳ１７０にて参照した付加情報の内容に基づき、サムネイルを表示するか否かを判断する。本実施の形態の場合、ＣＰＵ１２０は、サムネイルの画像情報が存在するか否かに基づいて、サムネイルを表示するか否かを判断する。サムネイルを表示すると判断した場合には（ステップＳ１７２にてＹＥＳ）、処理はステップＳ１７４へと移される。もしそうでないと（ステップＳ１７２にてＮＯ）、処理はステップＳ１７６へと移される。
【００５４】
ステップＳ１７４にて、付加情報出力制御部１０４として動作する映像インターフェイス１２６は、付加情報出力制御部１０４として動作するＣＰＵ１２０の制御に従い、サムネイルの画像情報をテレビ５２に出力する。
【００５５】
ステップＳ１７６にて、付加情報出力制御部１０４として動作するＣＰＵ１２０は、自らが記憶したフラグの値に基づき、相対時間を表示するか否かを判断する。本実施の形態において、「相対時間」とは、コンテンツを再生した場合における、コンテンツの再生の開始後の経過時間を意味する。相対時間を表示すると判断した場合には（ステップＳ１７６にてＹＥＳ）、処理はステップＳ１７８へと移される。もしそうでないと（ステップＳ１７６にてＮＯ）、処理は終了する。
【００５６】
ステップＳ１７８にて、付加情報出力制御部１０４として動作する映像インターフェイス１２６は、付加情報出力制御部１０４として動作するＣＰＵ１２０の制御に従い、ステップＳ１７０にて参照した付加情報のうち相対時間を示す情報をテレビ５２に出力する。
【００５７】
ステップＳ１８０にて、付加情報出力制御部１０４として動作する映像インターフェイス１２６は、付加情報出力制御部１０４として動作するＣＰＵ１２０の制御に従い、ステップＳ１７０にて参照した付加情報のうち頻度情報その他の情報をテレビ５２に出力する。どの情報が出力されるかということは、ユーザによる設定に基づいて付加情報出力制御部１０４として動作するＣＰＵ１２０が選択する。
【００５８】
図７を参照して、コンテンツ再生装置５０で実行されるプログラムは、コンテンツの再生に関し、以下のような制御を実行する。
【００５９】
ステップＳ１９０にて、コンテンツ選択部１０２として動作する入力インターフェイス１３０は、ユーザが視聴を希望するコンテンツの選択を受け付ける。
【００６０】
ステップＳ１９２にて、コンテンツ選択部１０２として動作する入力インターフェイス１３０は、ユーザが視聴を希望するコンテンツを示す情報をレジューム情報出力制御部８２として動作するＣＰＵ１２０に出力する。記録部６４として動作する記録ユニット１２２は、レジューム情報出力制御部８２として動作するＣＰＵ１２０の制御に従い、記録媒体１５０に記録されたレジューム情報のうちユーザが視聴を希望するコンテンツについてのレジューム情報を読出す。記録部６４として動作する記録ユニット１２２は、読み出したレジューム情報を一時的に記憶する。
【００６１】
ステップＳ１９４にて、記録部６４として動作する記録ユニット１２２は、ステップＳ１９２にて読出した情報をレジューム情報出力制御部８２として動作するＣＰＵ１２０に出力する。これにより、ステップＳ１９０にて選択されたコンテンツの再生頻度の情報もＣＰＵ１２０に出力される。
【００６２】
ステップＳ１９６にて、レジューム情報出力制御部８２として動作するＣＰＵ１２０は、ステップＳ１９４にて記録ユニット１２２が情報を出力したか否かに基づき、ステップＳ１９０にて選択されたコンテンツについて、レジューム情報があるか否かを判断する。レジューム情報があると判断した場合には（ステップＳ１９６にてＹＥＳ）、処理はステップＳ１９８へと移される。もしそうでないと（ステップＳ１９６にてＮＯ）、処理はステップＳ２０６へと移される。
【００６３】
ステップＳ１９８にて、レジューム情報出力制御部８２として動作するＣＰＵ１２０は、レジュームポイントを示す位置データをテレビ５２に出力する。テレビ５２は、その位置データを表示する。この処理は、後述する図９の処理に相当する。
【００６４】
ステップＳ２００にて、レジューム情報更新部８６として動作する入力インターフェイス１３０は、ユーザの指示を受け付ける。所定の期間（本実施の形態の場合、この時間は、本実施の形態にかかるコンテンツ再生装置５０を実現するためのプログラムにおいて定義されている時間である。）ユーザの指示が受け付けられた後、レジューム情報更新部８６として動作するＣＰＵ１２０は、ユーザの指示に基づき、レジュームポイントを合成するか否かを判断する。レジュームポイントを合成すると判断した場合には（ステップＳ２００にてＹＥＳ）、処理はステップＳ２０２へと移される。もしそうでないと（ステップＳ２００にてＮＯ）、処理はステップＳ２０４へと移される。
【００６５】
ステップＳ２０２にて、記録部６４として動作する記録ユニット１２２は、レジューム情報更新部８６として動作するＣＰＵ１２０の制御に従い、ユーザが指定したレジュームポイントに対応するレジューム情報を更新する。より具体的に説明すると、記録部６４として動作する記録ユニット１２２は、ユーザが指定したレジュームポイントに対応するレジューム情報を削除した後、レジューム情報更新部８６として動作するＣＰＵ１２０が作成したレジューム情報を記録する。レジューム情報更新部８６として動作するＣＰＵ１２０は、ユーザが指定したレジュームポイントに対応するレジューム情報を基に、そのレジューム情報を作成する。
【００６６】
ステップＳ２０４にて、再生制御部１００として動作する入力インターフェイス１３０は、ユーザの指示を受け付ける。所定の期間（本実施の形態の場合、この時間は、本実施の形態にかかるコンテンツ再生装置５０を実現するためのプログラムにおいて定義されている時間である。）ユーザの指示が受け付けられた後、再生制御部１００として動作するＣＰＵ１２０は、コンテンツを最初から再生するか否かを判断する。ＣＰＵ１２０は、ユーザの指示が、再生の開始位置の指定を伴うコンテンツの再生の指示か、それとも再生の開始位置の指定を欠くコンテンツの再生の指示かに基づき、コンテンツを最初から再生するか否かを判断する。コンテンツを最初から再生すると判断した場合には（ステップＳ２０４にてＹＥＳ）、処理はステップＳ２０６へと移される。もしそうでないと（ステップＳ２０４にてＮＯ）、処理はステップＳ２１６へと移される。
【００６７】
ステップＳ２０６にて、記録部６４として動作する記録ユニット１２２は、再生制御部１００として動作するＣＰＵ１２０の制御に従って、ステップＳ２０４にてユーザが再生を指示したコンテンツの映像情報や音声情報を読み出す。それらの情報は、コンテンツの冒頭に対応する情報から読み出される。読み出された情報は、再生制御部１００として動作するＣＰＵ１２０に出力される。ＣＰＵ１２０は、再生制御部１００として動作する映像インターフェイス１２６および音声インターフェイス１２８にそれらの情報を出力する。映像インターフェイス１２６および音声インターフェイス１２８は、それらの情報をテレビ５２が利用できる信号に変換した後、変換された信号をテレビ５２に出力する。テレビ５２は、それらの信号に基づいて、コンテンツを再生する。
【００６８】
ステップＳ２０８にて、付加情報更新制御部１１０として動作するＣＰＵ１２０は、再生が開始されたコンテンツの頻度情報を更新するように記録部６４として動作する記録ユニット１２２を制御する。頻度情報が更新されると、再生制御部１００として動作する入力インターフェイス１３０は、ユーザの指示を受け付ける。所定の期間（本実施の形態の場合、この時間は、本実施の形態にかかるコンテンツ再生装置５０を実現するためのプログラムにおいて定義されている時間である。）ユーザの指示が受け付けられた後、再生制御部１００として動作するＣＰＵ１２０は、ユーザの指示に基づき、コンテンツの再生を停止するか否かを判断する。コンテンツの再生を停止すると判断した場合には（ステップＳ２０８にてＹＥＳ）、処理はステップＳ２１０へと移される。もしそうでないと（ステップＳ２０８にてＮＯ）、処理はステップＳ２１４へと移される。
【００６９】
ステップＳ２１０にて、記録部６４として動作する記録ユニット１２２は、再生制御部１００として動作するＣＰＵ１２０の制御に従って、ステップＳ２０４にてユーザが再生を指示したコンテンツの映像情報や音声情報の読み出しを停止する。それらの情報の読み出しが停止されると、レジューム情報作成部８４として動作するＣＰＵ１２０は、再生制御部１００がコンテンツの再生を停止した時点に基づき、レジューム情報を作成する。この処理は図１０の処理に相当する。レジューム情報が作成されると、組立作成部１１８として動作するＣＰＵ１２０は、記録部６４として動作する記録ユニット１２２にその情報を出力する。記録部６４として動作する記録ユニット１２２は、記録媒体１５０にその情報を追加記録する。
【００７０】
ステップＳ２１２にて、コンテンツ情報消去制御部１０８として動作する入力インターフェイス１３０は、ユーザの指示を受け付ける。ユーザの指示を示す情報は、コンテンツ情報消去制御部１０８として動作するＣＰＵ１２０に出力される。ＣＰＵ１２０は、その情報を自らが内蔵するバッファに記憶させる。所定の期間（本実施の形態の場合、この時間は、本実施の形態にかかるコンテンツ再生装置５０を実現するためのプログラムにおいて定義されている時間である。）ユーザの指示が受け付けられた後、記録部６４として動作する記録ユニット１２２は、レジューム情報消去制御部８８またはコンテンツ情報消去制御部１０８として動作するＣＰＵ１２０の制御に従い、レジューム情報またはコンテンツの映像情報や音声情報を削除する。この処理は、後述する図１２の処理に相当する。
【００７１】
ステップＳ２１４にて、再生制御部１００として動作するＣＰＵ１２０は、記録部６４として動作する記録ユニット１２２の動作に基づいて、コンテンツの再生が終了したか否かを判断する。コンテンツの再生が終了したと判断した場合には（ステップＳ２１４にてＹＥＳ）、処理はステップＳ２１２へと移される。もしそうでないと（ステップＳ２１４にてＮＯ）、処理はステップＳ２０８へと移される。
【００７２】
ステップＳ２１６にて、記録部６４として動作する記録ユニット１２２は、再生制御部１００として動作するＣＰＵ１２０の制御に従って、ステップＳ２０４にてユーザが再生を指示したコンテンツの映像情報や音声情報を読み出す。それらの情報は、ステップＳ２０４にてユーザが指定した再生の開始位置に対応する情報から読み出される。読み出された情報は、再生制御部１００として動作するＣＰＵ１２０に出力される。ＣＰＵ１２０は、再生制御部１００として動作する映像インターフェイス１２６および音声インターフェイス１２８にそれらの情報を出力する。映像インターフェイス１２６および音声インターフェイス１２８は、それらの情報をテレビ５２が利用できる信号に変換した後、変換された信号をテレビ５２に出力する。テレビ５２は、それらの信号に基づいて、コンテンツを再生する。
【００７３】
図８は、レジュームポイントからコンテンツの再生を開始できることを示す概念図である。図８において、両端がコンテンツの始まりと終わりとを意味し、ハッチングが付された箇所がレジュームポイントを示す。ユーザは、入力インターフェイス１３０を介して、複数のレジュームポイントのうち１つを指定することにより、再生の開始位置を指定する。
【００７４】
図９を参照して、コンテンツ再生装置５０で実行されるプログラムは、付加情報の表示に関し、以下のような制御を実行する。
【００７５】
ステップＳ２２０にて、レジューム情報出力制御部８２として動作するＣＰＵ１２０は、自らが記憶した、表示方法についてのフラグの値を参照する。
【００７６】
ステップＳ２２０にて、レジューム情報出力制御部８２として動作するＣＰＵ１２０は、ステップＳ２２０にて参照したフラグの値に基づき、レジュームポイントの位置を帯状表示（帯状表示については別途具体的に説明する）するか否かを判断する。レジュームポイントの位置を帯状表示すると判断した場合には（ステップＳ２２２にてＹＥＳ）、処理はステップＳ２２４へと移される。もしそうでないと（ステップＳ２２２にてＮＯ）、処理はステップＳ２２６へと移される。
【００７７】
ステップＳ２２４にて、レジューム情報出力制御部８２として動作する映像インターフェイス１２６は、レジューム情報出力制御部８２として動作するＣＰＵ１２０の制御に従い、レジュームポイントの位置を帯状表示するための画像データをテレビ５２に出力する。テレビ５２は、その情報に基づき、レジュームポイントの位置を帯状表示する。
【００７８】
ステップＳ２２６にて、レジューム情報出力制御部８２として動作する映像インターフェイス１２６は、レジューム情報出力制御部８２として動作するＣＰＵ１２０の制御に従い、レジュームポイントの位置をブロック表示（ブロック表示についても別途具体的に説明する）するための画像データをテレビ５２に出力する。テレビ５２は、その情報に基づき、レジュームポイントの位置をブロック表示する。
【００７９】
図１０を参照して、コンテンツ再生装置５０で実行されるプログラムは、レジュームポイントの作成に関し、以下のような制御を実行する。
【００８０】
ステップＳ２３０にて、記録部６４として動作する記録ユニット１２２は、レジューム情報作成部８４として動作するＣＰＵ１２０の制御に従い、記録媒体１５０に記録されたレジューム情報のうちステップＳ２１０にて再生が中断されたコンテンツに対応するレジューム情報を読出す。記録部６４として動作する記録ユニット１２２は、読み出したレジューム情報を一時的に記憶する。
【００８１】
ステップＳ２３２にて、読出部１１２として動作するＣＰＵ１２０は、記録ユニット１２２が一時的に記憶したレジューム情報に基づき系統情報があるか否かを判断する。系統情報があると判断した場合には（ステップＳ２３２にてＹＥＳ）、処理はステップＳ２３４へと移される。もしそうでないと（ステップＳ２３２にてＮＯ）、処理はステップＳ２４０へと移される。
【００８２】
ステップＳ２３４にて、読出部１１２として動作するＣＰＵ１２０は、ステップＳ２３０にて記録ユニット１２２が一時的に記憶したレジューム情報の中から、系統情報を読出す。系統情報が読出されると、識別情報作成部１１４として動作するＣＰＵ１２０は、記録ユニット１２２が一時的に記憶したレジューム情報に基づき、新たに作成するレジューム情報の番号を選択する。番号が選択されると、識別情報作成部１１４として動作するＣＰＵ１２０は、その番号を示す識別情報を作成する。
【００８３】
ステップＳ２３６にて、位置データ作成部１１６は、レジュームポイントの位置を選択し、その位置を示す位置データを作成する。この処理は、後述する図１１の処理に相当する。
【００８４】
ステップＳ２３８にて、組立作成部１１８として動作するＣＰＵ１２０は、ステップＳ２３６までの処理により得られた情報を合成することで、レジューム情報を作成する。
【００８５】
ステップＳ２４０にて、記録部６４として動作する記録ユニット１２２は、読出部１１２として動作するＣＰＵ１２０の制御に従い、記録媒体１５０に記録された系統情報を読出す。系統情報が読出されると、読出部１１２として動作するＣＰＵ１２０は、読み出された系統情報に基づき、ステップＳ２１０にて再生が中断されたコンテンツについての系統情報を作成する。この系統情報は、ステップＳ２１０にて再生が中断されたコンテンツを識別できるように作成される。系統情報が作成されると、識別情報作成部１１４として動作するＣＰＵ１２０は、１番であることを示す識別情報を作成する。
【００８６】
図１１を参照して、コンテンツ再生装置５０で実行されるプログラムは、レジュームポイントの位置の選択に関し、以下のような制御を実行する。
【００８７】
ステップＳ２５０にて、検出部１１６０として動作するＣＰＵ１２０は、コンテンツの再生が中断された時点の、そのコンテンツにおける相対時刻を検出する。
【００８８】
ステップＳ２５２にて、検出部１１６０として動作するＣＰＵ１２０は、ステップＳ２５０にて検出した再生の中断時点に対応する音声情報がステレオ方式の音声を示すものか否かを判断する。ステレオ方式の音声を示すものと判断した場合には（ステップＳ２５２にてＹＥＳ）、処理はステップＳ２５４へと移される。もしそうでないと（ステップＳ２５２にてＮＯ）、処理はステップＳ２５６へと移される。
【００８９】
ステップＳ２５４にて、検出部１１６０として動作するＣＰＵ１２０は、既に出力された音声情報のうち、ステレオ方式の音声とモノラル方式の音声との境界を検出する。このために、検出部１１６０として動作するＣＰＵ１２０は、記録媒体１５０に記録された音声情報を読み出すように記録部６４として動作する記録ユニット１２２を制御する。記録ユニット１２２が音声情報を読み出すと、検出部１１６０として動作するＣＰＵ１２０は、その情報に基づいて境界を検出する。
【００９０】
ステップＳ２５６にて、検出部１１６０として動作するＣＰＵ１２０は、未出力の音声情報のうち、ステレオ方式の音声とモノラル方式の音声との境界を検出する。このために、検出部１１６０として動作するＣＰＵ１２０は、記録媒体１５０に記録された音声情報を読み出すように記録部６４として動作する記録ユニット１２２を制御する。記録ユニット１２２が音声情報を読み出すと、検出部１１６０として動作するＣＰＵ１２０は、その情報に基づいて境界を検出する。
【００９１】
ステップＳ２５８にて、境界データ作成部１１６２または指示点データ作成部１１６４として動作する（境界データ作成部１１６２と指示点データ作成部１１６４とのうちどちらとして動作するかは、ユーザの指示またはデフォルト値に基づいて定められる）ＣＰＵ１２０は、レジュームポイントを選択する。どの時点をレジュームポイントとして選択するかは、ＣＰＵ１２０が境界データ作成部１１６２として動作するか指示点データ作成部１１６４として動作するかということと、ＣＰＵ１２０が記憶したフラグの値とに基づき定められる。ＣＰＵ１２０が指示点データ作成部１１６４として動作する場合、再生を中断された時点がレジュームポイントとして選択される。ＣＰＵ１２０が境界データ作成部１１６２として動作する場合、ステレオ方式からモノラル方式へ音声が変化する境界とモノラル方式からステレオ方式へ変更される境界とのうちＣＰＵ１２０が記憶したフラグの値に対応する境界がレジュームポイントとして選択される。レジュームポイントが選択されると、境界データ作成部１１６２または指示点データ作成部１１６４として動作するＣＰＵ１２０は、自らが選択したレジュームポイントに対応する位置データを作成する。
【００９２】
図１２を参照して、本実施の形態に係るコンテンツ再生装置５０で実行されるプログラムは、レジューム情報などの削除に関し、以下のような制御を実行する。
【００９３】
ステップＳ２６０にて、コンテンツ情報消去制御部１０８として動作するＣＰＵ１２０は、コンテンツ削除情報を自らが記憶しているか否かを判断する。本実施の形態において、コンテンツ削除情報とは、ユーザの指示を意味する情報のうち何らかの情報の削除を指示することを示す情報である。コンテンツ削除情報を自らが記憶していると判断した場合には（ステップＳ２６０にてＹＥＳ）、処理はステップＳ２６２へと移される。もしそうでないと（ステップＳ２６０にてＮＯ）、処理は終了する。
【００９４】
ステップＳ２６２にて、コンテンツ情報消去制御部１０８として動作するＣＰＵ１２０は、自らが記憶したコンテンツ削除情報が、コンテンツ削除情報が示す指示と共に指定されたコンテンツについての映像情報や音声情報を削除することを意味するか否かを判断する。それらの情報の削除を意味すると判断した場合には（ステップＳ２６２にてＹＥＳ）、処理はステップＳ２６４へと移される。もしそうでないと（ステップＳ２６２にてＮＯ）、処理はステップＳ２６８へと移される。
【００９５】
ステップＳ２６４にて、記録部６４として動作する記録ユニット１２２は、コンテンツ情報消去制御部１０８として動作するＣＰＵ１２０の制御に従い、コンテンツ削除情報が示す指示と共に指定されたコンテンツについての付加情報を読み出す。このステップにおいて読み出されるのは、付加情報のうちコンテンツロックの有無を示す情報である。コンテンツロックの有無を示す情報は、コンテンツ情報消去制御部１０８として動作するＣＰＵ１２０に出力される。その情報が出力されると、コンテンツ情報消去制御部１０８として動作するＣＰＵ１２０は、その情報に基づき、コンテンツの削除が禁止されているか否かを判断する。コンテンツの削除が禁止されていると判断した場合（ステップＳ６４にてＹＥＳ）、処理は終了する。もしそうでないと（ステップＳ２６４にてＮＯ）、コンテンツ情報消去制御部１０８として動作するＣＰＵ１２０は、自らが記憶するフラグのうち削除の対象となる情報を示すフラグの値を「１」に設定する。そのフラグの値が設定されると、処理はステップＳ２６６へと移される。
【００９６】
ステップＳ２６６にて、コンテンツ情報消去制御部１０８兼レジューム情報消去制御部８８として動作するＣＰＵ１２０は、自らが記憶するフラグのうち削除の対象となる情報を示すフラグの値を参照する。参照されたフラグの値が「１」の場合、記録部６４として動作する記録ユニット１２２は、コンテンツ情報消去制御部１０８として動作するＣＰＵ１２０の制御に従い、コンテンツ削除情報が示す指示と共に指定されたコンテンツについての、映像情報と、音声情報と、付加情報とを削除する。参照されたフラグの値が「０」の場合、記録部６４として動作する記録ユニット１２２は、兼レジューム情報消去制御部８８として動作するＣＰＵ１２０の制御に従い、コンテンツ削除情報が示す指示と共に指定されたレジューム情報を削除する。
【００９７】
ステップＳ２６８にて、レジューム情報消去制御部８８として動作するＣＰＵ１２０は、自らが記憶したコンテンツ削除情報が、コンテンツ削除情報が示す指示と共に指定されたレジューム情報の削除を意味するか否かを判断する。レジューム情報の削除を意味すると判断した場合には（ステップＳ２６８にてＹＥＳ）、処理はステップＳ２７０へと移される。もしそうでないと（ステップＳ２６８にてＮＯ）、処理はステップＳ２７８へと移される。
【００９８】
ステップＳ２７０にて、レジューム情報消去制御部８８として動作するＣＰＵ１２０は、自らが記憶したコンテンツ削除情報に基づき、削除の対象となるレジューム情報についての範囲指定があるか否かを判断する。範囲指定があると判断した場合には（ステップＳ２７０にてＹＥＳ）、処理はステップＳ２７２へと移される。もしそうでないと（ステップＳ２７０にてＮＯ）、処理はステップＳ２７６へと移される。
【００９９】
ステップＳ２７２にて、レジューム情報消去制御部８８として動作するＣＰＵ１２０は、範囲指定の内容に基づいて、削除の対象となるレジューム情報を特定する。
【０１００】
ステップＳ２７４にて、記録部６４として動作する記録ユニット１２２は、レジューム情報消去制御部８８として動作するＣＰＵ１２０の制御に従い、ステップＳ２７２にてＣＰＵ１２０が特定したレジューム情報を読み出す。読み出されたレジューム情報はレジューム情報消去制御部８８として動作するＣＰＵ１２０に出力される。レジューム情報消去制御部８８として動作するＣＰＵ１２０は、自らに出力されたレジューム情報に基づき、ステップＳ２７２にて特定したレジューム情報のいずれかの削除が禁止されている（レジューム情報にロックがかかっている）か否かを判断する。レジューム情報にロックがかかっていると判断した場合には（ステップＳ２７４にてＹＥＳ）、処理は終了する。もしそうでないと（ステップ２７４にてＮＯ）、レジューム情報消去制御部８８として動作するＣＰＵ１２０は、自らが記憶するフラグのうち削除の対象となる情報を示すフラグの値を「０」に設定する。そのフラグの値が設定されると、処理はステップＳ２６６へと移される。
【０１０１】
ステップＳ２７６にて、記録部６４として動作する記録ユニット１２２は、レジューム情報消去制御部８８として動作するＣＰＵ１２０の制御に従い、コンテンツ削除情報が示す指示と共に指定されたレジューム情報を読み出す。読み出されたレジューム情報はレジューム情報消去制御部８８として動作するＣＰＵ１２０に出力される。レジューム情報消去制御部８８として動作するＣＰＵ１２０は、自らに出力されたレジューム情報に基づき、コンテンツ削除情報が示す指示と共に指定されたレジューム情報の削除が禁止されている（レジューム情報にロックがかかっている）か否かを判断する。レジューム情報にロックがかかっていると判断した場合には（ステップＳ２７６にてＹＥＳ）、処理は終了する。もしそうでないと（ステップＳ２７６にてＮＯ）、レジューム情報消去制御部８８として動作するＣＰＵ１２０は、自らが記憶するフラグのうち削除の対象となる情報を示すフラグの値を「０」に設定する。そのフラグの値が設定されると、処理はステップＳ２６６へと移される。
【０１０２】
ステップＳ２７８にて、レジューム情報更新部８６として動作するＣＰＵ１２０は、自らが記憶したコンテンツ削除情報が、レジューム情報の更新を意味するか否かを判断する。レジューム情報の更新を意味すると判断した場合には（ステップＳ２７８にてＹＥＳ）、処理はステップＳ２８０へと移される。もしそうでないと（ステップＳ２７８にてＮＯ）、処理は終了する。
【０１０３】
ステップＳ２８０にて、レジューム情報更新部８６として動作するＣＰＵ１２０は、コンテンツ削除情報が示す指示と共に指定された範囲に含まれるレジューム情報を特定する。
【０１０４】
ステップＳ２８２にて、読出部１４０として動作するＣＰＵ１２０は、ステップＳ２８０にて特定されたレジューム情報の系統情報と識別情報と位置データとを読み出す。系統情報と識別情報と位置データとが読み出されると、検出部１４２として動作するＣＰＵ１２０は、読み出した位置データに基づいて、コンテンツの中の次に述べる部分に含まれる本編とコマーシャルとの境界を検出する。その部分とは、ステップＳ２８０にて特定されたレジューム情報が示すレジュームポイントが分布する部分である。境界が検出されると、組立作成部１４４として動作するＣＰＵ１２０は、次に述べるレジューム情報を作成する。そのレジューム情報の系統情報は、読出部１４０が読み出した系統情報である。そのレジューム情報の識別情報は、読出部１４０が読み出した識別情報のうち最も小さな番号を示す情報である。そのレジューム情報の位置データは、検出部１４２が検出した境界のうち、コンテンツの始まりに最も近い境界とコンテンツの終わりに最も近い境界とのうち一方を示す位置データである。どちらの境界を示す位置データになるかは、所定の値（本実施の形態の場合、この値は、本実施の形態にかかるコンテンツ再生装置５０を実現するためのプログラムにおいて定義されている値である。）に対応する。レジューム情報が作成されると、更新制御部１４６として動作するＣＰＵ１２０は、ステップＳ２８０にて特定されたレジューム情報を記録媒体１５０に記録された情報から削除し、新たに作成されたレジューム情報を記録媒体１５０に記録するように、記録部６４として動作する記録ユニット１２２を制御する。
【０１０５】
以上のような構造およびフローチャートに基づく、コンテンツ再生装置５０の動作について説明する。
【０１０６】
［一度途中迄コンテンツを視聴した後、後日コンテンツの残りの一部を視聴する場合］
記録ユニット１２２は、ＣＰＵ１２０の制御に従い、記録媒体１５０に記録された付加情報を読出す（ステップＳ１５０）。
【０１０７】
付加情報が読み出されると、ＣＰＵ１２０は、ソートの方法が指定されているか否かを判断する（ステップＳ１５２）。この場合、ソートの方法が指定されているとすると（ステップＳ１５２にてＹＥＳ）、ＣＰＵ１２０は、記録ユニット１２２が記録媒体１５０から読出した付加情報をソートする（ステップＳ１５４）。
【０１０８】
付加情報がソートされると、ＣＰＵ１２０は、記録媒体１５０に記録されている付加情報が存在するか否かを判断する（ステップＳ１５６）。この場合、付加情報が存在するとすると（ステップＳ１５６にてＹＥＳ）、ＣＰＵ１２０は、ステップＳ１５０にて記録ユニット１２２が読み出し、一時的に記憶した付加情報を参照する（ステップＳ１７０）。
【０１０９】
付加情報が参照されると、ＣＰＵ１２０は、その付加情報の内容に基づき、サムネイルを表示するか否かを判断する（ステップＳ１７２）。この場合、サムネイルを表示しないとすると（ステップＳ１７２にてＮＯ）、ＣＰＵ１２０は、自らが記憶したフラグの値に基づき、相対時間を表示するか否かを判断する（ステップＳ１７６）。この場合、相対時間を表示するとすると（ステップＳ１７６にてＹＥＳ）、映像インターフェイス１２６は、ステップＳ１７０にて参照した付加情報のうち相対時間を示す情報をテレビ５２に出力する（ステップＳ１７８）。その後、映像インターフェイス１２６は、頻度情報その他の情報をテレビ５２に出力する（ステップＳ１８０）。これらの情報が出力されると、テレビ５２は、これらの情報を表示する。
【０１１０】
図１３は、この処理の結果としてテレビ５２の画面に付加情報が表示された場合の表示形態を示す概念図である。図１３には「コンテンツ」という文字が示されているが、実際の画面にはコンテンツごとの相対時間や頻度情報などが表示されている。
【０１１１】
相対時間を示す情報が出力されると、入力インターフェイス１３０は、ユーザが視聴を希望するコンテンツの選択を受け付ける（ステップＳ１９０）。
【０１１２】
コンテンツの選択が受け付けられると、記録ユニット１２２は、ＣＰＵ１２０の制御に従い、記録媒体１５０に記録されたレジューム情報のうちユーザが視聴を希望するコンテンツについてのレジューム情報を読み出す（ステップＳ１９２）。
【０１１３】
レジューム情報が読み出されると、記録ユニット１２２は、読み出されたレジューム情報をＣＰＵ１２０に出力する（ステップＳ１９４）。
【０１１４】
レジューム情報が出力されると、ＣＰＵ１２０は、ステップＳ１９０にて選択されたコンテンツについて、レジューム情報があるか否かを判断する（ステップＳ１９６）。この場合、レジューム情報がないとすると（ステップＳ１９６にてＮＯ）、記録ユニット１２２は、ステップＳ２０４にてユーザが再生を指示したコンテンツの映像情報や音声情報をコンテンツの冒頭に対応する情報から読み出す。ＣＰＵ１２０は、映像インターフェイス１２６および音声インターフェイス１２８にそれらの情報を出力する。映像インターフェイス１２６および音声インターフェイス１２８は、それらの情報をテレビ５２が利用できる信号に変換した後、変換された信号をテレビ５２に出力する。テレビ５２は、それらの信号に基づいて、コンテンツを再生する（ステップＳ２０６）。
【０１１５】
コンテンツの再生が開始されると、ＣＰＵ１２０は、再生が開始されたコンテンツの頻度情報を更新するように記録ユニット１２２を制御する。頻度情報が更新されると、コンテンツの再生の途中、入力インターフェイス１３０は、ユーザの指示を受け付ける。所定の期間ユーザの指示が受け付けられた後、ＣＰＵ１２０は、ユーザの指示に基づき、コンテンツの再生を停止するか否かを判断する（ステップＳ２０８）。当初、コンテンツの再生は停止しないと判断されるので（ステップＳ２０８にてＮＯ）、ＣＰＵ１２０は、コンテンツの再生が終了したか否かを判断する（ステップＳ２１４）。当初、コンテンツの再生は終了しないので（ステップＳ２１４にてＮＯ）、ステップＳ２０８の処理とステップＳ２１４の処理とが繰返される。
【０１１６】
その後、ユーザの指示があったことに応じてコンテンツの再生を停止すると判断されると（ステップＳ２０８にてＹＥＳ）、記録ユニット１２２は、ステップＳ２０４にてユーザが再生を指示したコンテンツの映像情報や音声情報の読み出しを停止する。それらの情報の読み出しが停止されると、記録ユニット１２２は、記録媒体１５０に記録されたレジューム情報のうちステップＳ２１０にて再生が中断されたコンテンツに対応するレジューム情報を読出す（ステップＳ２３０）。レジューム情報が読み出されると、ＣＰＵ１２０は、記録ユニット１２２が一時的に記憶したレジューム情報に基づき系統情報があるか否かを判断する（ステップＳ２３２）。この場合、系統情報がないとすると（ステップＳ２３２にてＮＯ）、記録ユニット１２２は、記録媒体１５０に記録された系統情報を読出す。系統情報が読出されると、ＣＰＵ１２０は、ステップＳ２１０にて再生が中断されたコンテンツについての系統情報を作成する。系統情報が作成されると、ＣＰＵ１２０は、１番であることを示す識別情報を作成する（ステップＳ２４０）。
【０１１７】
系統情報および識別情報が作成されると、ＣＰＵ１２０は、コンテンツの再生が中断された時点の相対時刻を検出する（ステップＳ２５０）。相対時刻が検出されると、ＣＰＵ１２０は、ステップＳ２５０にて検出した再生の中断時点に対応する音声情報がステレオ方式の音声を示すものか否かを判断する（ステップＳ２５２）。この場合、再生の中断時点に対応する音声情報がステレオ方式の音声を示すものではない（多くの場合、コマーシャルはステレオ音声で放送され、番組の本編はモノラル音声で放送されるので、再生の中断時点に対応する音声情報がステレオ方式の音声を示すものではないことは、番組の本編の途中で再生が中断されたことを示す。）とすると（ステップＳ２５２にてＮＯ）、ＣＰＵ１２０は、未出力の音声情報のうち、ステレオ方式の音声とモノラル方式の音声との境界を検出する（ステップＳ２５６）。
【０１１８】
境界が検出されると、ＣＰＵ１２０は、レジュームポイントを選択する。レジュームポイントが選択されると、ＣＰＵ１２０は、自らが選択したレジュームポイントに対応する位置データを作成する（ステップＳ２５８）。
【０１１９】
位置データが作成されると、ＣＰＵ１２０は、ステップＳ２３６までの処理により得られた情報を合成することで、レジューム情報を作成する。レジューム情報が作成されると、記録ユニット１２２は、記録媒体１５０にその情報を追加記録する（ステップＳ２３８）。
【０１２０】
レジューム情報が追加記録されると、入力インターフェイス１３０は、ユーザの指示を受け付ける。所定の期間ユーザの指示が受け付けられた後、ＣＰＵ１２０は、コンテンツ削除情報を自らが記憶しているか否かを判断する（ステップＳ２６０）。この場合、そのような情報が記憶されていないとすると（ステップＳ２６０にてＮＯ）、再生は一旦終了する。
【０１２１】
その後、ユーザの指示に応じて、ステップＳ１５０〜ステップＳ１５６の処理を経て、ＣＰＵ１２０は、記録媒体１５０に記録されている付加情報が存在するか否かを判断する（ステップＳ１５６）。この場合、付加情報が存在するので（ステップＳ１５６にてＹＥＳ）、ステップＳ１７０〜ステップＳ１７６の処理を経て、映像インターフェイス１２６は、ステップＳ１７０にて参照した付加情報のうち相対時間を示す情報をテレビ５２に出力する（ステップＳ１７８）。
【０１２２】
相対時間を示す情報が出力されると、ステップＳ１９０〜ステップＳ１９４の処理を経て、ＣＰＵ１２０は、ステップＳ１９０にて選択されたコンテンツについて、レジューム情報があるか否かを判断する（ステップＳ１９６）。この場合、レジューム情報があるので（ステップＳ１９６にてＹＥＳ）、ＣＰＵ１２０は、表示方法についてのフラグの値を参照する（ステップＳ２２０）。
【０１２３】
フラグの値が参照されると、ＣＰＵ１２０は、そのフラグの値に基づき、レジュームポイントの位置を帯状表示するか否かを判断する（ステップＳ２２０）。この場合、帯状表示しないと判断したとすると（ステップＳ２２２にてＮＯ）、映像インターフェイス１２６は、レジュームポイントの位置をブロック表示するための画像データをテレビ５２に出力する。テレビ５２は、その情報に基づき、レジュームポイントの位置をブロック表示する（ステップＳ２２６）。
【０１２４】
図１４は、レジュームポイントの位置をテレビ５２がブロック表示する場合の、テレビ５２における表示形態を示す概念図である。なお、この場合、本来はレジュームポイントが１つしかないが、図１４においては複数のレジュームポイントが設定されている場合の図を表示形態を示す。図１４において「コンテンツ」と表示された部分には、番組のタイトルその他の付加情報が表示される。これらの付加情報は、ステップＳ２２６において出力される画像データの一部として出力される。ＣＰＵ１２０は、ステップＳ１５０にて一時記憶された付加情報を用いて、これらの付加情報が出力されるように映像インターフェイス１２６を制御する。図１４において「レジュームポイント」と表示された部分には、レジュームポイントの位置が表示される。ちなみに、本実施の形態の場合にはレジュームポイントの位置が表示されるが、レジュームポイントの位置に加え、サムネイルその他の情報が表示されてもよいことは言うまでもない。
【０１２５】
位置データが表示されると、入力インターフェイス１３０は、ユーザの指示を受け付ける。所定の期間ユーザの指示が受け付けられた後、ＣＰＵ１２０は、ユーザの指示に基づき、レジュームポイントを合成するか否かを判断する（ステップＳ２００）。この場合、レジュームポイントを合成しないとすると（ステップＳ２００にてＮＯ）、入力インターフェイス１３０は、ユーザの指示を受け付ける。所定の期間ユーザの指示が受け付けられた後、ＣＰＵ１２０は、コンテンツを最初から再生するか否かを判断する（ステップＳ２０４）。この場合、コンテンツをレジュームポイントから再生するとすると（ステップＳ２０４にてＮＯ）、記録ユニット１２２などは、ステップＳ２０４にてユーザが再生を指示したコンテンツを再生する。そのコンテンツは、ステップＳ２０４にてユーザが指定した開始位置から開始される（ステップＳ２１６）。
【０１２６】
コンテンツの再生が開始されると、ＣＰＵ１２０は、再生が開始されたコンテンツの頻度情報を更新するように記録ユニット１２２を制御する。頻度情報が更新されると、入力インターフェイス１３０は、ユーザの指示を受け付ける。所定の期間ユーザの指示が受け付けられた後、ＣＰＵ１２０は、ユーザの指示に基づき、コンテンツの再生を停止するか否かを判断する（ステップＳ２０８）。当初、コンテンツの再生は停止しないと判断されるので（ステップＳ２０８にてＮＯ）、ＣＰＵ１２０は、コンテンツの再生が終了したか否かを判断する（ステップＳ２１４）。当初、コンテンツの再生は終了しないので（ステップＳ２１４にてＮＯ）、ステップＳ２０８の処理とステップＳ２１４の処理とが繰返される。
【０１２７】
その後、ユーザの指示があったことに応じてコンテンツの再生を停止すると判断されると（ステップＳ２０８にてＹＥＳ）、記録ユニット１２２などは、ステップＳ２０４にてユーザが再生を指示したコンテンツの再生を停止する。
【０１２８】
再生が停止されると、ステップＳ２３０の処理を経て、ＣＰＵ１２０は、記録ユニット１２２が一時的に記憶したレジューム情報に基づき系統情報があるか否かを判断する（ステップＳ２３２）。この場合、系統情報があるとすると（ステップＳ２３２にてＹＥＳ）、ＣＰＵ１２０は、ステップＳ２３０にて記録ユニット１２２が一時的に記憶したレジューム情報に基づき、新たに作成するレジューム情報の番号を選択する。番号が選択されると、識別情報作成部１１４として動作するＣＰＵ１２０は、その番号を示す識別情報を作成する（ステップＳ２３４）。
【０１２９】
識別情報が作成されると、ステップＳ２５０、ステップＳ２５２、ステップＳ２５６、およびステップＳ２５８の処理を経て、ＣＰＵ１２０は、ステップＳ２３６までの処理により得られた情報を合成することで、レジューム情報を作成する。レジューム情報が作成されると、記録ユニット１２２は、記録媒体１５０にその情報を追加記録する（ステップＳ２３８）。
【０１３０】
レジューム情報が追加記録されると、入力インターフェイス１３０は、ユーザの指示を受け付ける。所定の期間ユーザの指示が受け付けられた後、ＣＰＵ１２０は、コンテンツ削除情報を自らが記憶しているか否かを判断する（ステップＳ２６０）。この場合、そのような情報が記憶されていないとすると（ステップＳ２６０にてＮＯ）、再生は再度終了する。
【０１３１】
［一旦作成されたレジューム情報を更新する場合］
ステップＳ２３８までの処理を経て、入力インターフェイス１３０は、ユーザの指示を受け付ける。所定の期間ユーザの指示が受け付けられた後、ＣＰＵ１２０は、コンテンツ削除情報を自らが記憶しているか否かを判断する（ステップＳ２６０）。この場合、コンテンツ削除情報を記憶しているとすると（ステップＳ２６０にてＹＥＳ）、ＣＰＵ１２０は、コンテンツ削除情報が映像情報や音声情報を削除することを意味するか否かを判断する（ステップＳ２６２）。この場合、それらの情報の削除を意味しないとすると（ステップＳ２６２にてＮＯ）、ＣＰＵ１２０は、コンテンツ削除情報がレジューム情報の削除を意味するか否かを判断する（ステップＳ２６２）。この場合、レジューム情報の削除を意味しないとすると（ステップＳ２６８にてＮＯ）、処理はステップＳ２７８へと移される。ＣＰＵ１２０は、コンテンツ削除情報がレジューム情報の更新を意味するか否かを判断する（ステップＳ２７８）。この場合、レジューム情報の更新を意味するとすると（ステップＳ２７８にてＹＥＳ）、ＣＰＵ１２０は、コンテンツ削除情報が示す指示と共に指定された範囲に含まれるレジューム情報を特定する（ステップＳ２８０）。
【０１３２】
レジューム情報が特定されると、ＣＰＵ１２０は、レジューム情報を作成し、ステップＳ２８０にて特定されたレジューム情報を記録媒体１５０に記録された情報から削除し、新たに作成されたレジューム情報を記録媒体１５０に記録するように、記録ユニット１２２を制御する（ステップＳ２８２）。
【０１３３】
［コマーシャルの途中で再生が中断されるとコマーシャルの開始時または終了時から再生を再開させる場合］
ステップＳ２５６までの処理を経て、ＣＰＵ１２０は、レジュームポイントを選択する。レジュームポイントが選択されると、ＣＰＵ１２０は、自らが選択したレジュームポイントに対応する位置データを作成する（ステップＳ２５８）。この場合、ＣＰＵ１２０は境界データ作成部１１６２として動作し、ステレオ方式からモノラル方式へ音声が変化する境界がレジュームポイントとして選択されることとする。レジュームポイントが選択されると、境界データ作成部１１６２または指示点データ作成部１１６４として動作するＣＰＵ１２０は、自らが選択したレジュームポイントに対応する位置データを作成する。位置データが作成されると、ＣＰＵ１２０は、ステップＳ２３６までの処理により得られた情報を合成することで、レジューム情報を作成する。レジューム情報が作成されると、記録ユニット１２２は、記録媒体１５０にその情報を追加記録する（ステップＳ２３８）。
【０１３４】
［帯状表示をする場合］
ステップＳ１９６までの処理を経て、ＣＰＵ１２０は、レジュームポイントの位置を帯状表示するか否かを判断する（ステップＳ２２０）。この場合、帯状表示すると判断したとすると（ステップＳ２２２にてＹＥＳ）、映像インターフェイス１２６は、レジュームポイントの位置を帯状表示するための画像データをテレビ５２に出力する。テレビ５２は、その情報に基づき、レジュームポイントの位置を帯状表示する（ステップＳ２２４）。
【０１３５】
図１５は、レジュームポイントの位置をテレビ５２が帯状表示する場合の、テレビ５２における表示形態を示す概念図である。図１５において「コンテンツ」と表示された部分には、番組のタイトルその他の付加情報が表示される。これらの付加情報は、ステップＳ２２６において出力される画像データの一部として出力される。ＣＰＵ１２０は、ステップＳ１５０にて一時記憶された付加情報を用いて、これらの付加情報が出力されるように映像インターフェイス１２６を制御する。図１５において「レジューム情報」と表示された部分には、レジュームポイントの相対時間などが表示される。ちなみに、本実施の形態の場合にはレジュームポイントの相対時間などが表示されるが、レジュームポイントの位置に加え、サムネイルその他の情報が表示されてもよいことは言うまでもない。
【０１３６】
以上のようにして、本実施の形態に係るコンテンツ再生装置５０は、コンテンツの再生が中断されるたびに、レジューム情報の内容を更新するのではなく、新たなレジューム情報を追加記録する。図１６は、一度途中迄コンテンツをユーザが視聴した後、後日コンテンツの残りの一部をユーザが視聴した場合の、レジュームポイントの配置を示す概念図である。図１６において、両端がコンテンツの始まりと終わりとを意味し、ハッチングが付された箇所がレジュームポイントを示す。図１６から明らかなように、複数のユーザが同時にコンテンツを視聴した後、それらのユーザの一部が続きを視聴しても、最初に視聴を中断した時点を示すレジューム情報が消去されないので、残るユーザは最初に視聴を中断した時点からめいめい続きを視聴することができる。その結果、複数人のユーザが操作し得る場合にも、煩雑なユーザ管理をすることなくそれらのユーザがコンテンツを効率的に視聴できるコンテンツ再生装置およびコンテンツ再生システムを提供できる。
【０１３７】
また、本実施の形態に係るコンテンツ再生装置５０は、レジューム情報として、系統情報と、識別情報と、位置データとを含む。これにより、再生の指示を受付けるための、ユーザの利便性を考慮したユーザインターフェイスを構築することが容易になる。
【０１３８】
また、本実施の形態に係るコンテンツ再生装置５０は、再生が中断された点そのものをレジュームポイントとするのではなく、予め設定された値に基づいて、コマーシャルの開始時や終了時をレジュームポイントとすることができる。図１７は、再生が中断された点そのものをレジュームポイントとした場合の、レジュームポイントの配置を示す概念図である。図１８は、コマーシャルの終了時をレジュームポイントとした場合の、レジュームポイントの配置を示す概念図である。図１７および図１８においても、図１６と同様に、両端がコンテンツの始まりと終わりとを意味し、ハッチングが付された箇所がレジュームポイントを示す。コマーシャルの開始時や終了時をレジュームポイントとすることができるので、再生を開始すると直ちに本編を視聴できるようにしたり、予めコマーシャルを再生させて視聴準備のための時間稼ぎをしたりすることができる。
【０１３９】
また、本実施の形態に係るコンテンツ再生装置５０は、頻度情報を出力できる。これにより、テレビ５２は、その頻度情報を表示することができる。頻度情報が表示されるので、視聴頻度が少ないコンテンツを削除するか否かの判断材料をユーザに提供できる。
【０１４０】
また、本実施の形態に係るコンテンツ再生装置５０は、ステップＳ２８２などの処理により、複数のレジュームポイントを１つのレジュームポイントにまとめるように、レジューム情報を更新できる。これにより、ほぼ同一の位置を示すレジュームポイントを整理できるので、ユーザは再生の開始位置を容易に選択できる。
【０１４１】
なお、本実施の形態の第１の変形例において、入力インターフェイス１３０が担当した、ユーザの指示などを受付ける処理はすべて通信インターフェイス１２４が担当してもよい。この場合、通信インターフェイス１２４は、ユーザの指示などを示す信号を受信することで、ユーザの指示などを受付けることとなる。また、この変形例の場合、レジューム情報を映像インターフェイス１２６がテレビ５２に出力することに代えて、通信インターフェイス１２４が送信してもよい。この場合、通信インターフェイス１２４は、レジューム情報を送信することで、そのレジューム情報を出力することとなる。この場合、ＣＰＵ１２０は、レジューム情報を出力するように映像インターフェイス１２６を制御することに代えて、レジューム情報を送信するように通信インターフェイス１２４を制御することとなる。また、この変形例の場合、ＣＰＵ１２０その他コンテンツ再生装置５０を構成する各部は、入力インターフェイス１３０および通信インターフェイス１２４のうち少なくとも一方が受付けた指示などに基づいて、上述した制御を実施してもよい。この変形例の場合、コンテンツ再生装置５０を遠隔制御できるので、ユーザの利便性が向上する。
【０１４２】
また、本実施の形態の第２の変形例において、通信インターフェイス１２４はコンテンツ再生装置５０に含まれなくともよい。この場合、通信部６６もコンテンツ再生装置５０に含まれなくともよい。
【０１４３】
また、本実施の形態の第３の変形例において、レジュームポイントから再生を開始し、最後まで再生された場合、再生の開始点を示すレジューム情報は削除されても良い。この場合、付加情報にはコンテンツの最後まで視聴されると再生の開始点を示すレジューム情報を削除することを指示する情報が含まれていればそのレジューム情報を削除することとしてもよい。あるいは、レジューム情報が作成された後に一定の期間が経過するとそのレジューム情報は削除することとされてもよい。図１９は、これらの場合にレジューム情報が削除されることを示す概念図である。図１９においても図１６と同様に、両端がコンテンツの始まりと終わりとを意味する。ただし、図１９においては、ハッチングが付された箇所のみでなく破線で囲まれた箇所もレジューム情報を示す。ハッチングが付された箇所はまだ削除されていないレジューム情報を示す。破線で囲まれた箇所は既に削除されたレジューム情報を示す。図１９の場合、破線で囲まれた箇所のうち左側の箇所はレジューム情報が作成された後に一定の期間が経過したためレジューム情報が削除されたことを示す。右側の箇所はコンテンツの最後まで再生が終了したためレジューム情報が削除されたことを示す。
【０１４４】
また、本実施の形態の第４の変形例において、再生の開始位置を指定するための方法は特に限定されない。たとえば、複数のレジュームポイントを一括して選択してもよい。この場合、どのようにして再生の開始位置を特定するかということも特に限定されない。たとえば、複数のレジュームポイントのうちコンテンツの終わりに最も近いレジュームポイントを再生の開始位置としてもよい。図２０はこのことを示す概念図である。図２０において、両端がコンテンツの始まりと終わりとを意味し、ハッチングが付された箇所がレジュームポイントを示す。円で囲まれたレジュームポイントはユーザによって選択されたレジュームポイントを示す。それらのレジュームポイントのうち矢印が付されているレジュームポイントは、ユーザによって選択されたレジュームポイントのうちコンテンツの終わりに最も近いレジュームポイントであって、再生の開始位置を示すレジュームポイントである。
【０１４５】
また、本実施の形態の第５の変形例において、ユーザが指定した複数のレジュームポイントが、再生の開始位置と再生の終了位置とを示すとみなされてもよい。この場合、再生の終了位置の指定は、ステップＳ２０８にて受け付けられるべき指定がステップＳ２１６において予め受付けられたとみなされる。図２１は、このことを示す概念図である。図２１において、両端がコンテンツの始まりと終わりとを意味し、ハッチングが付された箇所がレジュームポイントを示す。円で囲まれたレジュームポイントはユーザによって選択されたレジュームポイントを示す。それらのレジュームポイントのうち上向きの矢印が付されているレジュームポイントは再生の開始位置を示すとみなされる。下向きの矢印が付されているレジュームポイントは再生の終了位置を示すとみなされる。
【０１４６】
また、本実施の形態の第６の変形例において、ユーザが指定した複数のレジュームポイントが、コンテンツのうち再生しない部分を示すとみなされてもよい。この場合、再生の開始位置と終了位置との指定が２回分（２回目の終了位置はコンテンツの終わり）一度にあったとみなされる。図２２は、このことを示す概念図である。図２２において、両端がコンテンツの始まりと終わりとを意味し、ハッチングが付された箇所がレジュームポイントを示す。円で囲まれたレジュームポイントはユーザによって選択されたレジュームポイントを示す。横向きの矢印は再生される部分であることを示す。
【０１４７】
また、本実施の形態の第７の変形例において、系統情報は、色に対応付けられていてもよい。系統情報が色に対応付けられている代わりに、色を示す情報をレジューム情報が含んでもよい。前者の場合、ステップＳ２２４およびステップＳ２２６において、系統情報はテレビ５２における表示色を示す信号として出力されてもよい。この場合、テレビ５２に表示されるレジューム情報は、系統情報を表示色によって示すこととなる。図２３は、系統情報を色として示す場合の、ブロック表示の表示形態を示す概念図である。図２３においては、各レジュームポイントのコンテンツにおける配置は枠の位置によって示されており、各レジューム情報が属する系統は枠の内側の色によって示されている。なお、この変形例の場合、複数のレジューム情報が１つのレジューム情報に更新されると、テレビ５２に表示される枠は複数の色で塗り分けられたものとすることができる。そのためには、レジューム情報が複数の系統情報を含むことと、テレビ５２にレジューム情報を出力する際、複数の色で塗り分けられた枠を示す画像情報にレジューム情報を変換することとが必要となる。図２４および図２５はこのことを示す概念図である。図２４において破線で囲まれた２つの枠が、更新される前のレジューム情報を示す。図２５において１つの枠に「赤」という文字と「緑」という文字とが記載された枠が、複数の色で塗り分けられた枠を示す。この枠が更新された後のレジューム情報を示す。
【０１４８】
また、本実施の形態の第８の変形例において、系統情報と識別情報とは、色とその濃淡とに対応付けられていてもよい。系統情報と識別情報とが色とその濃淡とに対応付けられている代わりに、系統情報と識別情報との組合せに応じた色を示す情報をレジューム情報が含んでもよい。この場合、ステップＳ２２４およびステップＳ２２６において、系統情報と識別情報とは、テレビ５２における表示色とその濃淡とを示す信号として出力されてもよい。この場合、テレビ５２に表示されるレジューム情報は、系統情報と識別情報とを表示色とその濃淡とによって示すこととなる。図２６は、系統情報と識別情報とを色とその濃淡として示す場合の、ブロック表示の表示形態を示す概念図である。図２６においては、各レジュームポイントのコンテンツにおける配置は枠の位置によって示されており、各レジューム情報が属する系統は枠の内側の色によって示されており、各レジューム情報の識別情報は色の濃淡によって示されている。この変形例の場合、後に作成されたレジューム情報ほど色が淡いこととする。
【０１４９】
また、本実施の形態の第９の変形例において、系統情報が色に対応付けられ、かつレジューム情報が作成された時からの経過時間が色の濃淡に対応付けられていてもよい。この場合、ステップＳ２２４およびステップＳ２２６において、系統情報はテレビ５２における表示色を示す信号として出力されてもよい。この場合、テレビ５２に表示されるレジューム情報は、系統情報を表示色によって示し、レジューム情報が作成された時からの経過時間をその濃淡によって示すこととなる。この変形例の場合、レジューム情報が作成された後に経過した時間の長さを視覚によってユーザは知ることができるので、どのレジュームポイントから再生を開始させるかをユーザは容易に判断できる。
【０１５０】
また、本実施の形態の第１０の変形例において、レジューム情報は、上述した各種の情報の組み合わせでなくともよい。たとえば、レジューム情報は、再生の開始位置を示すデータのみを含む情報であってもよい。
【０１５１】
また、本実施の形態の第１１の変形例において、ステップＳ２８２にて作成されるレジューム情報の位置データは、検出部１４２が検出した境界を示す位置データでなくともよい。例えば、ユーザからレジュームポイントの指定を受付け、そのレジュームポイントを示す位置データであってもよい。削除の対象となったレジューム情報が示すレジュームレジュームポイントのうちコンテンツの始まりに最も近いレジュームポイントを示す位置データであってもよい。削除の対象となったレジューム情報が示すレジュームレジュームポイントのうちコンテンツの終わりに最も近いレジュームポイントを示す位置データであってもよい。削除の対象となったレジューム情報が示すレジュームレジュームポイントのうちユーザが最後に削除の対象としたレジュームポイントを示す位置データであってもよい。削除の対象となったレジューム情報が示すレジュームレジュームポイントのうちコンテンツの始まりに最も近いレジュームポイントとコンテンツの終わりに最も近いレジュームポイントとの中間を示す位置データであってもよい。
【０１５２】
また、本実施の形態の第１２の変形例において、ステップＳ２８２にて削除の対象となるレジューム情報はユーザによって指定された情報でなくともよい。たとえば、ユーザから受付けたレジュームポイントに基づいて削除の対象となるレジューム情報が選択されてもよい。
【０１５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１５４】
【図１】本発明の実施の形態に係るコンテンツ再生システムの構成図である。
【図２】本発明の実施の形態に係るコンテンツ再生装置の機能ブロック図である。
【図３】本発明の実施の形態に係るレジュームポイントの概念図である。
【図４】本発明の実施の形態に係るコンテンツ再生装置のハードウェア構成図である。
【図５】本発明の実施の形態に係るコンテンツの再生処理の制御の手順を示すフローチャートである。
【図６】本発明の実施の形態に係る付加情報の表示処理の制御の手順を示すフローチャートである。
【図７】本発明の実施の形態に係る再生処理の制御の手順を示すフローチャートである。
【図８】本発明の実施の形態に係るレジュームポイントからコンテンツの再生を開始できることを示す概念図である。
【図９】本発明の実施の形態に係る表示方法の選択処理の制御の手順を示すフローチャートである。
【図１０】本発明の実施の形態に係るレジューム情報の作成処理の制御の手順を示すフローチャートである。
【図１１】本発明の実施の形態に係るレジュームポイントの選択処理の制御の手順を示すフローチャートである。
【図１２】本発明の実施の形態に係る削除処理の制御の手順を示すフローチャートである。
【図１３】本発明の実施の形態に係る付加情報の表示形態を示す概念図である。
【図１４】本発明の実施の形態に係るブロック表示の表示形態を示す概念図である。
【図１５】本発明の実施の形態に係る帯状表示の表示形態を示す概念図である。
【図１６】本発明の実施の形態に係るコンテンツ再生装置における、一度途中迄コンテンツをユーザが視聴した後、後日コンテンツの残りの一部をユーザが視聴した場合の、レジュームポイントの配置を示す概念図である。
【図１７】本発明の実施の形態に係るコンテンツ再生装置における、再生が中断された点そのものをレジュームポイントとした場合の、レジュームポイントの配置を示す概念図である。
【図１８】本発明の実施の形態に係るコンテンツ再生装置における、コマーシャルの終了時をレジュームポイントとした場合の、レジュームポイントの配置を示す概念図である。
【図１９】本発明の実施の形態の第３の変形例に係るコンテンツ再生装置における、レジュームポイントが削除され得ることを示す概念図である。
【図２０】本発明の実施の形態の第４の変形例に係る、複数のレジュームポイントのうちコンテンツの終わりに最も近いレジュームポイントを再生の開始位置としてもよいことを示す概念図である。
【図２１】本発明の実施の形態の第５の変形例に係る、ユーザが指定した複数のレジュームポイントが再生の開始位置と再生の終了位置とを示すとみなされてもよいことを示す概念図である。
【図２２】本発明の実施の形態の第６の変形例に係る、ユーザが指定した複数のレジュームポイントがコンテンツのうち再生しない部分を示すとみなされてもよいことを示す概念図である。
【図２３】本発明の実施の形態の第７の変形例に係る、系統情報を色として示す場合の、ブロック表示の表示形態を示す概念図である。
【図２４】本発明の実施の形態の第７の変形例に係る、複数のレジューム情報が１つのレジューム情報に更新された場合の、ブロック表示の表示形態を示す第１の概念図である。
【図２５】本発明の実施の形態の第７の変形例に係る、複数のレジューム情報が１つのレジューム情報に更新された場合の、ブロック表示の表示形態を示す第２の概念図である。
【図２６】本発明の実施の形態の第８の変形例に係る、系統情報と識別情報とを色とその濃淡として示す場合の、ブロック表示の表示形態を示す概念図である。
【符号の説明】
【０１５５】
５０  コンテンツ再生装置、５２  テレビ、６０  レジューム情報管理部、６２  コンテンツ管理部、６４  記録部、６６  通信部、８０  レジューム情報記録制御部、８２  レジューム情報出力制御部、８４  レジューム情報作成部、８６  レジューム情報更新部、８８  レジューム情報消去制御部、９０  レジューム情報選択部、９２  レジューム情報入力部、１００  再生制御部、１０２  コンテンツ選択部、１０４  付加情報出力制御部、１０６  コンテンツ情報記録制御部、１０８  コンテンツ情報消去制御部、１１０  付加情報更新制御部、１１２，１４０  読出部、１１４  識別情報作成部、１１６  位置データ作成部、１１８，１４４  組立作成部、１２０  ＣＰＵ、１２２  記録ユニット、１２４  通信インターフェイス、１２６  映像インターフェイス、１２８  音声インターフェイス、１３０  入力インターフェイス、１４２，１１６０  検出部、１４６  更新制御部、１５０  記録媒体、１１６２  境界データ作成部、１１６４  指示点データ作成部。
【図１】
2008217873.tif 000003
【図２】
2008217873.tif 000004
【図３】
2008217873.tif 000005
【図４】
2008217873.tif 000006
【図５】
2008217873.tif 000007
【図６】
2008217873.tif 000008
【図７】
2008217873.tif 000009
【図８】
2008217873.tif 000010
【図９】
2008217873.tif 000011
【図１０】
2008217873.tif 000012
【図１１】
2008217873.tif 000013
【図１２】
2008217873.tif 000014
【図１３】
2008217873.tif 000015
【図１４】
2008217873.tif 000016
【図１５】
2008217873.tif 000017
【図１６】
2008217873.tif 000018
【図１７】
2008217873.tif 000019
【図１８】
2008217873.tif 000020
【図１９】
2008217873.tif 000021
【図２０】
2008217873.tif 000022
【図２１】
2008217873.tif 000023
【図２２】
2008217873.tif 000024
【図２３】
2008217873.tif 000025
【図２４】
2008217873.tif 000026
【図２５】
2008217873.tif 000027
【図２６】
2008217873.tif 000028